(57)【要約】【課題】マニュアルフォーカス飾りゴムの伸縮性とマニュアルフォーカス操作環溝による固定だけなので、使用者が指でマニュアルフォーカス飾りゴムを引っ張るとマニュアルフォーカス操作環溝から容易に外れてしまう。【解決手段】マニュアルフォーカス飾り３の孔６から突出したマニュアルフォーカス飾りゴム２のリブ５がフォーカシング、ズーミングの際に使用者の指が滑ることを防止する。また、外側からマニュアルフォーカス飾り３、内側からマニュアルフォーカス操作環４で挟まれる為にマニュアルフォーカス飾りゴムが容易に外れない構成となっている。【選択図】図３
2005031505.tif 000002
【特許請求の範囲】
【請求項１】
使用者により回転操作が可能な回転操作装置であって、外周面に孔を設けた略円筒形状の第１の操作環と、前記第１の操作環の内部に配され前記孔から突出させる突起を設けた略円筒形状の第２の操作環とを備え、前記第１の操作環と前記第２の操作環とを装着した際に、前記突起が前記孔から所定量突出することを特徴とする環状操作装置。
【請求項２】
使用者により回転操作が可能な回転操作装置であって、外周面に孔を設けた略円筒形状の第１の操作環と、前記第１の操作環の内部に配され前記孔から突出させる突起を設けた略円筒形状の第２の操作環と、前記第２の操作環を前記第１の操作環とともに挟持する第３の操作環と、前記第１の操作環に設けられた係合部と、前記第３の操作環に前記係合部と係合させるために設けられた被係合部とを備え、前記第１〜第３の操作環を組み立てる際、前記係合部と前記被係合部とを互いに係合させることを特徴とする環状操作装置。
【請求項３】
突起は、第２の操作環の外周面の全周に渡って配され、孔は第１の操作環の外周面の全周に渡って配されたことを特徴とする請求項１及び２記載の環状操作装置。
【請求項４】
突起は、弾性体で構成されたことを特徴とする請求項１及び２記載の環状操作装置。
【請求項５】
突起は、熱可塑性エラストマーで構成されたことを特徴とする請求項４記載の環状操作装置。
【請求項６】
第２の操作環は、一部を切断してから第１の操作環に装着することを特徴とする請求項１及び２記載の環状操作装置。
【請求項７】
輪状のマニュアルフォーカス飾りゴム外側に少なくとも一つのリブを設け、孔を空けたマニュアルフォーカス飾りの内部から前記リブを突出させ使用者の指が滑ることを防止したことを特徴とする環状操作装置。
【請求項８】
マニュアルフォーカス飾りゴムの外側をマニュアルフォーカス飾り、内側をマニュアルフォーカス操作環で挟み込むことで前記マニュアルフォーカス飾りゴムが外れることを防止したことを特徴とする環状操作装置。
【発明の詳細な説明】
【技術分野】
【０００１】
本発明は、マニュアルフォーカスリングを有する光学機器の環状操作装置に関するものである。
【背景技術】
【０００２】
近年、カメラ等の環状操作装置はマニュアルフォーカスリングをフォーカシング、ズーミング等で回す際、凹凸の付いた輪状弾性体を外側に装着したスリップ防止方法がなされている。
【０００３】
以下に従来の環状操作装置について図５から図６を用いて説明する。なお、出願人は特許文献１に開示されている環状操作装置を認識しているが、本発明の課題を明確にするために、先行技術として認識しているが文献公知としては認識していない図５から図６に示す環状操作装置を従来例として説明する。
【０００４】
図５はマニュアルフォーカス操作環にマニュアルフォーカス飾りゴムを取付けるマニュアルフォーカスリングの構成を示す斜視図、図６はマニュアルフォーカス操作環にマニュアルフォーカス飾りゴムを取付けた従来のマニュアルフォーカスリングの斜視図である。
【０００５】
図５において、９はマニュアルフォーカス飾りゴム、１０はマニュアルフォーカス操作環、１１はマニュアルフォーカス飾りゴム９がはまり込むマニュアルフォーカス操作環溝で、マニュアルフォーカス操作環溝１１の最小外径はマニュアルフォーカス飾りゴム９の内径より大きい。したがって、マニュアルフォーカス飾りゴム９は収縮性とマニュアルフォーカス操作環溝１１により固定される。図６において１２は従来のマニュアルフォーカス飾りゴム９がマニュアルフォーカス操作環溝１１にはまり込んだ状態のマニュアルフォーカスリングである。
【０００６】
以上のように構成された従来のマニュアルフォーカスリング１２のスリップ防止方法について、以下その動作について説明する。
【０００７】
使用者がマニュアルフォーカスリング１２をフォーカシング、ズーミング等で回す場合、マニュアルフォーカスリング１２のマニュアルフォーカス飾りゴム９を指で回す。マニュアルフォーカス飾りゴム９の摩擦により指が滑らずにマニュアルフォーカスリング１２が回転するので、使用者は自由にフォーカスシング、ズーミング等をすることができる。
【特許文献１】特開平９−１５９９００号公報
【発明の開示】
【発明が解決しようとする課題】
【０００８】
しかしながら上記の従来の構成では、マニュアルフォーカス飾りゴム９の伸縮性とマニュアルフォーカス操作環溝１１による固定だけなので、使用者が指でマニュアルフォーカス飾りゴム９を引っ張るとマニュアルフォーカス操作環溝１１から容易に外れてしまうという問題を有していた。
【０００９】
本発明は上記課題を鑑み、環状操作装置（例えば、マニュアルフォーカスリング）のスリップ防止、さらに、マニュアルフォーカス飾りゴムがマニュアルフォーカスリングから容易に外れない環状操作装置を提供することを目的とする。
【課題を解決するための手段】
【００１０】
上記課題を解決するために本発明の環状操作装置は、使用者により回転操作が可能な回転操作装置であって、外周面に孔を設けた略円筒形状の第１の操作環と、前記第１の操作環の内部に配され前記孔から突出させる突起を設けた略円筒形状の第２の操作環とを備え、前記第１の操作環と前記第２の操作環とを装着した際に、前記突起が前記孔から所定量突出するものである。
【００１１】
これにより、環状操作装置（例えば、マニュアルフォーカスリング）のスリップ防止、さらに、マニュアルフォーカス飾りゴムがマニュアルフォーカスリングから容易に外れない環状操作装置が得られる。
【発明の効果】
【００１２】
以上のように本発明は、環状操作装置（例えば、マニュアルフォーカスリング）の回転操作時のスリップ防止、さらに、第２の操作環が第３の操作環から容易に外れないという優れた効果が得られる。
【発明を実施するための最良の形態】
【００１３】
本発明の請求項１、３、７、８に記載の発明は、使用者により回転操作が可能な回転操作装置であって、外周面に孔を設けた略円筒形状の第１の操作環と、前記第１の操作環の内部に配され前記孔から突出させる突起を設けた略円筒形状の第２の操作環とを備え、前記第１の操作環と前記第２の操作環とを装着した際に、前記突起が前記孔から所定量突出するものであり、これにより、環状操作装置（例えば、マニュアルフォーカスリング）のスリップ防止、さらに、マニュアルフォーカス飾りゴムがマニュアルフォーカスリングから容易に外れない環状操作装置が得られる。
【００１４】
請求項２及び３に記載の発明は、使用者により回転操作が可能な回転操作装置であって、外周面に孔を設けた略円筒形状の第１の操作環と、前記第１の操作環の内部に配され前記孔から突出させる突起を設けた略円筒形状の第２の操作環と、前記第２の操作環を前記第１の操作環とともに挟持する第３の操作環と、前記第１の操作環に設けられた係合部と、前記第３の操作環に前記係合部と係合させるために設けられた被係合部とを備え、前記第１〜第３の操作環を組み立てる際、前記係合部と前記被係合部とを互いに係合させることにより、第１の操作環と第３の操作環との回転方向の位置を合わせることができる。
【００１５】
請求項４及び５に記載の発明は、突起は、弾性体で構成されたことにより、使用者が指によって操作する際の操作感覚を良好にすることができる。
【００１６】
請求項６に記載の発明は、第２の操作環は、一部を切断してから第１の操作環に装着することにより、第２の操作環を第１の操作環への装着を容易にすることができる。
【００１７】
以下、本発明の実施の形態について、図面を用いて説明する。
【００１８】
（実施の形態１）
図１は本発明の実施の形態における環状操作装置が使用されたマニュアフォーカスリングを例としてビデオカメラに装着したマニュアルフォーカスリングの実用例を示す斜視図、図２はマニュアルフォーカス飾りゴムの外側をマニュアルフォーカス飾り、内側をマニュアルフォーカス操作環で挟むマニュアルフォーカスリングの構成を示す斜視図、図３はマニュアルフォーカス飾りゴムの外側をマニュアルフォーカス飾り、内側をマニュアルフォーカス操作環で挟んだ状態のマニュアルフォーカスリングの斜視図、図４はマニュアルフォーカス操作環のリブがマニュアルフォーカス飾りゴムの孔から突出した構成であることを示すマニュアルフォーカスリングの図３Ａ−Ａ部の断面図である。
【００１９】
図１において、２０はビデオカメラ本体、１はビデオカメラ本体２０のレンズ系先端に矢印Ｃ方向へ回転自在に装着された本実施の形態の環状操作装置を備えたマニュアルフォーカスリングで、矢印Ｃ方向へ回転させることによりビデオカメラ本体２０におけるフォーカシング操作を使用者が手動で行うことができる。なお、本実施の形態では、環状操作装置をビデオカメラ本体２０に用いた例を説明したが、デジタルスチルカメラや銀塩カメラなどのように、手動フォーカシングが可能な光学製品に利用してもよい。また、フォーカスリングに用いる構成としたが、カメラではズームリングに用いても有効である。さらに、光学系の操作部以外で、回転操作を伴う部品に用いるとさらに有効である。
【００２０】
図２において、２は略円筒形状を成し弾性体からなる第２の操作環であるマニュアルフォーカス飾りゴムで、本実施の形態ではゴムとしたが、弾性体であれば他の材質であってもよい。材質の例については、以下実験結果を基に詳述する。
【００２１】
３はマニュアルフォーカス飾りゴム２を外側から挟む第１の操作環であるマニュアルフォーカス飾りであり、略円筒形状をなしており、マニュアルフォーカスリング１を使用者が回転操作する際に、外周面に使用者の指が触れる。
【００２２】
４は略円筒形状でかつマニュアルフォーカス飾りゴムを内側から挟む第３の操作環であるマニュアルフォーカス操作環で、図３及び図４に示す組立完了状態では、マニュアルフォーカス飾りゴム２をマニュアルフォーカス飾り３とマニュアルフォーカス操作環４とで挟み込んでいる。
【００２３】
５はマニュアルフォーカス飾りゴム２の円周方向外周面に全周に渡って複数設けられた突起であるリブで、本実施の形態ではマニュアルフォーカス飾りゴム２と一体成形されているが、一体成形に限定されるものではなく、リブを他部品としてマニュアルフォーカス飾りゴム２の外周面に装着する構成としてもよい。また、本実施の形態においてリブ５は、マニュアルフォーカス飾りゴム２の外周面全周に渡って設けたが、部分的または局所的に配してもよい。さらに、本実施の形態のリブ５は、図示のように等間隔に配したが、この間隔は図示以外にも広げたり狭めたりして配置してもよいが、間隔を狭め過ぎると指の引っかかりが悪く、操作性を低下させてしまう可能性があるので、最適化な寸法に設定する必要がある。さらに必ずしも等間隔に配置する必要もなく、間隔を異ならせて配置してもよい。また、リブ５の先端形状は円弧形状としてもよいし、三角形状などのように他形状としてもよい。また、複数設けられたリブ５のうち、一カ所のリブの色を例えば赤色などに着色することで、マニュアルフォーカスリング１の回転位置や基準位置を容易に把握することができる。
【００２４】
６はマニュアルフォーカス飾りゴム２とマニュアルフォーカス操作環４とを装着したした際にリブ５をマニュアルフォーカス操作環４の外部へ突出させる為にマニュアルフォーカス操作環４の円周方向外周面に複数設けられた孔で、本実施の形態ではリブ５の個数と同数の孔を設けた。本実施の形態の孔６は、マニュアルフォーカス操作環４の外周面全周に渡って配されている。
【００２５】
７はマニュアルフォーカス飾り３とマニュアルフォーカス操作環４の位相ズレを防止する係合部である位相合わせ凸部、８は位相合わせ凸部７と嵌合する被係合部である位相合わせ凹部であり、マニュアルフォーカス飾り３とマニュアルフォーカス操作環４とを組み立てた際に、凸部７と凹部８とを係合させることで、互いの回転方向位相を合わせることができる。本実施の形態では、凸部７及び凹部８を１カ所のみ設けたが、複数箇所設けてもよい。
【００２６】
図４において、Ｌ１はフォーカスリング飾りゴム２の最外周の直径、Ｌ２はフォーカスリング操作環４の最外周の直径である。このＬ１とＬ２の関係は、Ｌ１＞Ｌ２となっており、組立完了状態において、リブ５が孔６から突出するようになっている。使用者はこの突出したリブ５に指を当ててフォーカスリング１を良好に回転操作することができる。
【００２７】
以上のように構成された本実施の形態の環状操作装置について、以下その構成を詳しく説明する。
【００２８】
まず、図１に示すように、マニュアルフォーカスリング１はビデオカメラ本体２０にビス（図示せず）などで固定されている。そして使用者はこのマニュアルフォーカスリング１を矢印Ｃ方向へ回転させることで、任意のフォーカシング操作を行うことができる。この時、使用者の指が当接するマニュアルフォーカスリング１の外周面には、複数の突起（リブ５）が設けられており、さらにこの突起が弾性体で構成されているため、操作する際に使用者の指が滑らず、スムーズかつ確実に回転操作を行うことができる。
【００２９】
次に、フォーカスリング１の組立について説明する。
【００３０】
図２および図４に示すように、まず、マニュアルフォーカス飾りゴム２を矢印Ｄに示すようにマニュアルフォーカス飾り３の内側へ移動させ、リブ５を孔６に内側から挿入する。マニュアルフォーカス飾りゴム２の最外周直径Ｌ１とマニュアルフォーカス飾り３の最外周直径Ｌ２とはＬ１＞Ｌ２の関係となっているため、挿入後、リブ５の先端は孔６から突出する。
【００３１】
次に図２に示すようにマニュアルフォーカス飾りゴム２を挟み込むようにマニュアルフォーカス操作環４を矢印Ｅ方向へ移動させる。この時、マニュアルフォーカス飾り３とマニュアルフォーカス操作環４の回転方向位相合わせは、位相合わせ凸部７と位相合わせ凹部７とを係合して固定する。
【００３２】
マニュアルフォーカス飾りゴム２の材質は弾性体であれば良いが、出願人は下記２種類のエラストマーで７０°、８０°および９０°の硬度で感触、耐磨耗性、組み易さについて検討を行なった。検討を行った材料は、熱可塑性ポリウレタンエラストマーの一種「エラストラン」（独エラストグラン・ゲゼルシャフト・ミット・ベシュレンクテル・ハフツン社の登録商標）と、熱可塑性エラストマーの一種「サントプレーン」（米アドバンスド・エラストマー・システムズ・リミテッド・パートナーシップ社の登録商標）である。以下に検証結果の表を示す。
【００３３】
【表１】
2005031505.tif 000003
【００３４】
エラストランはサンプレーンと比較すると感触は良いが耐磨耗性が悪い為、指で引っかくと削れてしまった。そのため、出願人はサントプレーンを使用した。また、硬度は最も耐磨耗性の良い９０°を使用した。
【００３５】
以上のように本発明は、マニュアルフォーカス飾り３の孔６から突出したマニュアルフォーカス飾りゴム２のリブ５がフォーカシング、ズーミングの際に使用者の指が滑ることを防止する。また、外側からマニュアルフォーカス飾り３、内側からマニュアルフォーカス操作環４で挟まれる為にマニュアルフォーカス飾りゴムが容易に外れない構成となっている。
【００３６】
また、位置合わせ凸部７と位置合わせ凹部８とを設け、マニュアルフォーカス飾り３とマニュアルフォーカス操作環４とを装着する際に係合させることで、マニュアルフォーカス飾り３とマニュアルフォーカス操作環４との回転方向の位置決めを行うことができる。
【００３７】
また、リブ５を弾性体で構成したことにより、使用者が指によって操作する際の操作感覚を良好にすることができる。
【００３８】
また、本実施の形態のマニュアルフォーカス飾りゴム２は円筒形状としたが、図２の二点鎖線Ｂの位置で予め切断して帯状にしておくことで、マニュアルフォーカス飾りゴム２をマニュアルフォーカス飾り３に対してさらに組み易くなる。
【００３９】
なお、本実施の形態において、上記（表１）に示す材料にて実験を行ったが、本発明と同様の効果を奏するものであれば、他の材料を用いてもよい。
【産業上の利用可能性】
【００４０】
本発明の環状操作装置は、ビデオカメラ以外にも、デジタルスチルカメラや銀塩カメラなどのように、手動フォーカシングが可能な光学製品に利用しても有効である。また、フォーカスリングに用いる構成以外に、光学製品においてはズームリングに用いても有効である。さらに、光学系の回転操作部以外に、回転操作を伴う部分であれば、どのような部品や製品に用いるとさらに有効である。
【図面の簡単な説明】
【００４１】
【図１】本発明の実施の形態１におけるマニュアルフォーカスリングの実用例を示す斜視図
【図２】本発明の実施の形態１におけるマニュアルフォーカスリングの構成を示す斜視図
【図３】本発明の実施の形態１におけるマニュアルフォーカスリングの斜視図
【図４】本発明の実施の形態１におけるマニュアルフォーカスリングの図３Ａ−Ａ部の断面図
【図５】従来のマニュアルフォーカスリングの構成を示す斜視図
【図６】従来のマニュアルフォーカスリングの斜視図
【符号の説明】
【００４２】
１    マニュアルフォーカスリング
２    マニュアルフォーカス飾りゴム
３    マニュアルフォーカス飾り
４    マニュアルフォーカス操作環
５    リブ
６    孔
７    位相合わせ凸部
８    位相あわせ凹部
【図１】
2005031505.tif 000004
【図２】
2005031505.tif 000005
【図３】
2005031505.tif 000006
【図４】
2005031505.tif 000007
【図５】
2005031505.tif 000008
【図６】
2005031505.tif 000009